(57)【特許請求の範囲】
【請求項１】
蜂の巣型のダーツボードセグメントを、一組、又は数組を単位として組立構成するダーツボードであって、
前記ダーツボードセグメントを、係止パーツにより固定し、又は係止部により連繋し、前記ダーツボードの形状や大きさを、自由に変更できる構造としたことを特徴とするダーツボード。
【請求項２】
前記ダーツボードセグメントを、既存の壁、構造物、構築物、又は物の面に、自由に取付け、又は取外しできる構造を備えた請求項１に記載のダーツボード。
【請求項３】
前記取付け、又は取外しできる構造は、ピン、釘、接着剤、又はテープを含む構成とした請求項２に記載のダーツボード。
【請求項４】
前記ダーツボードセグメントは、樹脂製の膜体を蜂の巣型にする構成とした請求項１乃至３の何れか１項に記載のダーツボード。
【発明の詳細な説明】
【技術分野】
【０００１】
本発明は、蜂の巣型のダーツボードセグメントを、一組、又は数組を単位として組立構成するダーツボードに関する。
【背景技術】
【０００２】
従来のダーツボードは、定形型の構造であり、ダーツボードスタンドを利用して設置する。それが為、競技用、又は遊戯用等として十分であり、何人も楽しむことができる。しかし、幼児、子供等が、知恵と創作力を利用して、ダーツボードを造り、かつダーツを楽しむには十分でない。
【０００３】
本発明の意図を達成することを考え、先行文献を見るが、例えば、登録実用新案第３０９９５１６号公報で開示されているダーツボード構造があるが、図１に示されているように、従来の範疇であり、十分でない。また、ダーツボードセグメントに関するものとして、特表平９−５１２６２７号公報で、開示されている。しかし、図１に示されているように、従来の範疇であり、十分でない。
【０００４】
そこで、本発明は、従来の殻を破った「蜂の巣型のダーツボードセグメントを、一組、又は数組を単位として組立構成するダーツボード」を、提案することにある。
【先行技術文献】
【特許文献】
【０００５】
【特許文献１】登録実用新案第３０９９５１６号公報
【特許文献２】特表平９−５１２６２７号公報
【発明の概要】
【発明が解決しようとする課題】
【０００６】
前述の如く、「蜂の巣型のダーツボードセグメントを、一組、又は数組を単位として組立構成するダーツボード」を、提案することで、「イ」  広さ、形状等に囚われず、自由な雰囲気で、ダーツボードを楽しめる構造とする。「ロ」  既存の壁、構造物、構築物、又は物の面に、自由に取付け、又は取外しできる構造とする。「ハ」  幼児、子供等が、知恵と創作力を利用して、ダーツボードを造り、かつダーツを楽しむことができる構造を提案する。「ニ」  前記「ロ」の如く、既存の物を利用することで、経済性と、ダーツボードの設置スペースの減少化、簡略化が図れる構造を提案する。「ホ」  全ての物を基盤として利用でき有利性と、娯楽性を発揮できる構造を提案する。「ヘ」  如何なる場所でもダーツゲームが行える重宝性と利便性の構造が図れる構造を提案する。「ト」  幼児、子供から大人まで、一緒になって楽しめ、かつ情緒とリラックスを満喫できる構造を提案することにより、従来の課題を解決する。
【課題を解決するための手段】
【０００７】
従来の課題を解決するために、本発明では、請求項１〜請求項４を提案する。
【発明の効果】
【０００８】
請求項１の発明は、蜂の巣型のダーツボードセグメントを、一組、又は数組を単位として組立構成するダーツボードであって、
前記ダーツボードセグメントを、係止パーツにより固定し、又は係止部により連繋し、前記ダーツボードの形状や大きさを、自由に変更できる構造としたことを特徴とするダーツボードである。
【０００９】
これにより、請求項１では、下記の特徴がある。
「イ」  広さ、形状等に囚われず、自由な雰囲気で、ダーツボードを楽しめる。
「ハ」  幼児、子供等が、知恵と創作力を利用して、ダーツボードを造り、かつダーツを楽しめる。
「ヘ」  如何なる場所でもダーツゲームが行える重宝性と利便性の構造を提案できる。
「ト」  幼児、子供から大人まで、一緒になって楽しめ、かつ情緒とリラックスを満喫できる。
【００１０】
請求項２の発明は、前記ダーツボードセグメントを、既存の壁、構造物、構築物、又は物の面に、自由に取付け、又は取外しできる構造を備えた請求項１に記載のダーツボードである。
【００１１】
これにより、請求項１の他に、下記の特徴がある。
「ロ」  既存の壁、構造物、構築物、又は物の面に、自由に取付け、又は取外しできる有効性と利便性がある。
「ニ」  前記「ロ」の如く、既存の物を利用することで、経済性と、ダーツボードの設置スペースの減少化、簡略化が図れる。
「ホ」  全ての物を基盤として利用でき有利性と、娯楽性を発揮できる。
【００１２】
請求項３の発明は、前記取付け、又は取外しできる構造（以下、取付具）は、ピン、釘、接着剤、又はテープを含む請求項２に記載のダーツボードである。
【００１３】
これにより、請求項２の「ロ」  既存の壁、構造物、構築物、又は物の面に、自由に取付け、又は取外しできる有効性と利便性を図るに最適な構造を提案できる。
【００１４】
請求項４の発明は、前記ダーツボードセグメントは、樹脂製の膜体を蜂の巣型にする構成とした請求項１乃至３の何れか１項に記載のダーツボードである。
【００１５】
これにより、請求項１、２の「イ」〜「ト」の特徴を達成できる樹脂製の膜体のダーツボードセグメント構造を提案できる。
【図面の簡単な説明】
【００１８】
【図１】既存の壁、構造物、構築物、又は物の面のダーツボードセグメントとダーツとの関係を示した縮尺斜視図
【図２】図１の要部を示した断面図
【図３】第１実施例のダーツボードセグメントの斜視図
【図４】第１実施例のダーツボードセグメントを、面にピンにより固定する状態の正面図
【図５】図３の断面図
【図５−１】第１実施例の他のダーツボードセグメントを、面に設けた可撓性の係止ピンにより固定する状態の断面図
【図６】第２実施例のダーツボードセグメントの斜視図
【図７】第２実施例のダーツボードセグメントを、面に係止パーツにより固定する状態の正面図
【図８−１】第３実施例のダーツボードセグメントを、面に別の係止パーツにより固定する状態の正面図
【図８−２】第４実施例のダーツボードセグメントを、面に他の係止パーツにより固定する状態の正面図
【図８−３】第５実施例のダーツボードセグメントを固定するために、面に帯状の係止パーツを設けた一例の正面図
【図８−４】第５実施例のダーツボードセグメントを固定するために、面に他の帯状の係止パーツを設けた一例の正面図
【図８−５】図８−４の正面図および断面図
【図８−６】図８−３等に記載された係止パーツの使用状態の平面図
【図９−１】第６実施例のダーツボードセグメント（樹脂製の蜂の巣型の膜体）を、凹凸係止部を介して連結する状態の正面図
【図９−２】図９−１による凹凸係止部を介して一体化し、一部を完成した正面図
【図９−３】第６実施例のダーツボードセグメント（樹脂製の蜂の巣型の膜体）を、別の凹凸係止部を介して連結する状態の正面図
【図９−４】第６実施例のダーツボードセグメント（樹脂製の蜂の巣型の膜体）を、他の凹凸係止部を介して連結する状態の正面図
【図９−５】第６実施例のダーツボードセグメント（樹脂製の蜂の巣型の膜体）を、差込み式の凹凸係止部を介して連結する状態の正面図
【図１０−１】第７実施例のダーツボードセグメント（樹脂製の蜂の巣型の膜体）の孔にピンを差込み、面に固定する状態の一例の正面図
【図１０−２】第７実施例のダーツボードセグメント（樹脂製の蜂の巣型の膜体）の孔にピンを差込み、面に固定する状態の別の一例の正面図
【図１１−１】第８実施例のダーツボードセグメントを利用し、面に取付けるためのキャラクターを表現したダーツボードであり、かつその一部を拡大して示した正面図
【図１１−２】第８実施例のセグメントパーツを示した拡大正面図
【図１２】第９実施例のダーツボードセグメントを利用し、面に取付けるための高層タワーを表現したダーツボードであり、かつその一部を拡大して示した正面図
【図１３】第１０実施例のダーツボードセグメントを利用し、面に設置するための海賊船を表現したダーツボードであり、かつその一部を拡大して示した斜視図
【図１３−１】図１３に示した面の構造の一例を示した斜視図
【図１３−２】図１３に示した面に取付けるダーツボードセグメントの一例を示した斜視図
【図１３−３】図１３−１の組立状態の平面模式図
【図１４】第１１実施例のダーツボードセグメントを利用し、面に設置するための恐竜を表現したダーツボードの斜視図
【図１４−１】第１１実施例に示した恐竜ダーツに使用する花のダーツを示した斜視図
【図１４−２】第１１実施例に示した恐竜ダーツに使用する蝶のダーツを示した斜視図
【発明を実施するための形態】
【００１９】
１は蜂の巣型のダーツボードセグメント（セグメントとする）で、このセグメント１は、一組（ワンピース）、又は数組（複数ピース）を単位とした構成であり、既存の壁、構造物、構築物、又は物の面２に取付ける（例外有り）。この例では、セグメント１は樹脂製の軟質膜体、又は硬質板体等とする。従って、膜体の例では、図示しないが、折畳みも可能である。このセグメント１の孔を、本発明の如く、蜂の巣型とすることで、ダーツ５の刺さる確率が向上する。
【００２０】
このセグメント１を、既存の壁、構造物、又は構築物、物、棒、その他の物等の面２に、一組、又は数組を単位として組立構成することで、ダーツボード３が完成される。このダーツボード３は、面２に、図示しないが、止め具、接着剤、螺合、嵌合、差込み、或いは吊下げ、展示等の手段で支持、又は展開等される。
【００２１】
競技の仕方は、従来と略同様であり、所定の距離からダーツ５を投擲することであり、また点数等も従来と同様である。尚、ダーツボード３には、ダーツ５が当たり、図２に示すように、差込み、接着、又は優しくはりつく（幼児とか子供等の遊戯用として有効）等の状態で保持される。
【００２２】
また面２はコルク、樹脂、板材等の材料（他の材料、例えば、係止パーツ、セグメント１等も同じ）であって、例えば、コルクでは、素材そのもの特性でダーツ５の針５００が支持されるが、素材の孔、チップ、植毛、セグメント１の蜂の巣空間等の支持素材で、針５００が支持される構造も可能であり、これらも従前と同じと考えられる。
【００２３】
面２にセグメント１を支持する構造としては、第１実施例から第１１実施例の各例があり、順に説明する。
【００２４】
図３〜図５に示した第１実施例では、面２に立設したピン（釘）のような係止パーツ６（取付具）を利用して、セグメント１の角部１００（膜体）の適所を支持する構造である。
【００２５】
尚、図５−１に示した第１実施例では、面２に立設した可撓性の係止パーツ６（取付具）を利用して、セグメント１の角部１００（膜体）の適所を支持する構造である。その他図示しないが、係止パーツ６には、凹凸、ギザギザ等の可撓性等の係止片を設けるとともに、セグメント１に、これに対応する凸凹、ギザギザ等の可撓性等の係止片を設ける構造も可能である。
【００２６】
図６、図７に示した第２実施例では、面２に設けた当板のような係止パーツ６を利用して、セグメント１の壁部１０１（膜体）の適所を支持する構造である。
【００２７】
図８−１、図８−２に示した第３、４実施例では、面２に設けた当板のような係止パーツ６を利用して、セグメント１の角部１００の適所を支持する構造である。前記第２実施例の変形例である。
【００２８】
図８−３〜図８−６に示した第５実施例では、面２に帯状の本体部６ａを形成し、この本体部６ａに、多数の係止パーツ６を立設した構造である。具体的には、図８−３が立設した係止パーツ６であり、図８−４が異形の係止パーツ６を示している。また、図８−５は、図８−４の正面図および断面図を、図８−６は、図８−３等に記された係止パーツ６とセグメント１との関係を示している。この例によれば、ダーツボード３の形状は自由であり、各人の好みと、想像力、又は知性を発揮できる。また、全ての人に、楽しみを与え得る。尚、図示しないが、本体部６ａに図柄、例えば、日本地図、動物、植物、又は建物、風景等の図柄輪郭を示し、この輪郭に、競技者、その他関係者がセグメント１を取付け、図と同じ態様をダーツボード３で表現して、楽しむこともできる。情緒・自立・知悉・道徳・友愛育成、勉学等に役立つと思われる。
【００２９】
次に、図９−１〜図９−５に示した第６実施例では、面２に設けた図示しない支持部材を介して、一組、又は数組のセグメント１を連繋する構造であり、この一例では、図９−１と図９−２が、セグメント１の壁部１０１等に設けた凹凸係止部１０２ａ、１０２ｂを嵌合することによりセグメント１を連繋し、一体化する（繋ぐ）構造である。この第６実施例では、自由に、かつ各人の好みにより、ダーツボード３を利用でき重宝する。また、セグメント１内に部品がなく、スッキリした感覚と、素人や子供、老人等が自由に楽しめる。
図９−４では、各セグメント１が備える凹凸係止部１０２ａ、１０２ｂを嵌合することで複数のセグメントを連繋し、一体化している。
【００３０】
図１０−１、図１０−２に示した第７実施例では、面２に設けた図示しない支持部材を介して、一組、又は数組のセグメント１を連繋する構造であり、この一例では、図１０−１は、セグメント１の角部１００に設けた孔１０３にピンのような係止パーツ６を差し込むことにより連繋する構造である。また図１０−２は、セグメント１の角部１００の内面に設けた孔１０３にピンのような係止パーツ６を差し込むことにより連繋する構造である。この第７実施例では、第６実施例と同じ特徴が考えられる。
【００３１】
また、図１１−１、図１１−２に示した第８実施例では、面２（例えば、キャラクター素材の表面全体）に取付けるか、又は面２に取付けずに、そのままでキャラクターを表現したダーツボード３であり、多数のセグメント１と、隅部専用（くさび、押え、半截、隙間埋め等の）のセグメントパーツ１０２とを組合せた構造であり、形状、姿見等の特性を確保する。セグメントパーツ１０２は、隙間を埋めるのに使えると共に、隙間に押し込むことで他の接面とセグメント１を固定する（押さえる）ためにも利用できる。この第８実施例では、第７実施例と同じ特徴が考えられる。また、セグメント１とセグメントパーツ１０２との連繋は、前述の各実施例に準ずる。
【００３２】
図１２に示した第９実施例では、面２（例えば、高層タワー板の表面全体）に取付けるか、又は面２に取付けずに、そのままで高層タワーを表現したダーツボード３であり、多数のセグメント１と、隅部専用のセグメントパーツ１０２とを組合せた構造であり、形状、姿見等の特性を確保する。この第９実施例では、第７実施例、第８実施例と同じ特徴が考えられる。また、セグメント１とセグメントパーツ１０２との連繋は、前述の各実施例に準ずる。
【００３３】
図１３に示した第１０実施例では、面２（海賊船の外面全体であり、例えば、立体パズルブロック）に取付けるか、又は面２に取付けずに、そのままで海賊船を表現したダーツボード３であり、多数のセグメント１と、隅部専用のセグメントパーツ１０２とを組合せた構造であり、形状、姿見等の特性を確保する。この第１０実施例は、立体感覚の物の外周面に、セグメント１等を設けた構造であり、立体感覚を有しており、第７実施例、第８実施例、第９実施例と同じ特徴が考えられる。しかし、更なる楽しみと、面白味が考えられる。その他、例えば、セグメント１とセグメントパーツ１０２との連繋は、前述の各実施例に準ずる。尚、図１３−１は、面２の構成部品２００を示しており、例えば、３Ｄプリンター等の簡易な機械で製作する（他の構成部品、例えば、セグメント１、面２等を含む）。この構成部品２００は、組付け表裏面に凸凹２００ａ、２００ｂを有する構造であり、他の面２ａの他の構成部品２００−１の凹凸２００−１ｂ、２００−１ａを嵌合支持することで、図１３−３のように面２ａを組立てる。尚、図１３−２は、構成部品２００等に組付ける蜂の巣立方体のセグメント１を示している。面２の構造は、前述の各例に準ずる。
【００３４】
図１４に示した第１１実施例では、面２（恐竜の外面全体であり、例えば、立体パズルブロック、図１３−１〜図１３−３）に取付けるか、又は面２に取付けずに、そのままで恐竜を表現したダーツボード３であり、多数のセグメント１と、隅部専用のセグメントパーツ１０２とを組合せた構造であり、形状、姿見等の特性を確保する。そして、この例では、動物保護の観点から、ダーツ５に改良を加えて、図１４−１は、花のダーツ５を示し、また、図１４−２は、蝶のダーツ５を示している。このダーツ５は、恐竜に接触、又ははりつける（くっ付く）ことで、役割を果たす構造である。そして、この実施例は、３Ｄプリンター等の簡易な機械で製作することに最適である。その他は、前述の各実施例に準ずる。
【００３５】
前述したダーツボードの各実施例は、好ましい一例を示したものであり、同様な効果と特徴を有する他の構造、手段は、本発明の範疇である。
【符号の説明】
【００３６】
１      セグメント
１００      角部
１０１      壁部
１０２      セグメントパーツ
１０２ａ      凹係止部
１０２ｂ      凸係止部
１０３      孔
２      面
２ａ      面
２００      構成部品
２００ａ      凸
２００ｂ      凹
２００−１      構成部品
２００−１ａ      凸
２００−１ｂ      凹
３      ダーツボード
５      ダーツ
５００      針
６      係止パーツ
６ａ    本体部
【図１】
0006030517.tif 000002
【図２】
0006030517.tif 000003
【図３】
0006030517.tif 000004
【図４】
0006030517.tif 000005
【図５】
0006030517.tif 000006
【図５−１】
0006030517.tif 000007
【図６】
0006030517.tif 000008
【図７】
0006030517.tif 000009
【図８−１】
0006030517.tif 000010
【図８−２】
0006030517.tif 000011
【図８−３】
0006030517.tif 000012
【図８−４】
0006030517.tif 000013
【図８−５】
0006030517.tif 000014
【図８−６】
0006030517.tif 000015
【図９−１】
0006030517.tif 000016
【図９−２】
0006030517.tif 000017
【図９−３】
0006030517.tif 000018
【図９−４】
0006030517.tif 000019
【図９−５】
0006030517.tif 000020
【図１０−１】
0006030517.tif 000021
【図１０−２】
0006030517.tif 000022
【図１１−１】
0006030517.tif 000023
【図１１−２】
0006030517.tif 000024
【図１２】
0006030517.tif 000025
【図１３】
0006030517.tif 000026
【図１３−１】
0006030517.tif 000027
【図１３−２】
0006030517.tif 000028
【図１３−３】
0006030517.tif 000029
【図１４】
0006030517.tif 000030
【図１４−１】
0006030517.tif 000031
【図１４−２】
0006030517.tif 000032